(57)【要約】【課題】軒天井や正面に高い強度を必要とすることなくベランダ等に簡単に設置することができるとともに、シート材を巻き取るための巻取ケース等の高重量物も取り付けることができる簡易型オーニング装置を提供すること。【解決手段】サッシ枠３の左右一対の縦枠３ａの各々に固定ブラケット４を介して支柱５を略垂直に固定し、左右一対の支柱５の上端部間に巻取ケース６を横架し、該巻取ケース６に巻装されたシート材７を引き出してこれをオーニングとして使用する。又、前記各支柱５を前記サッシ枠３の各縦枠３ａの外側方に配置するとともに、前記巻取ケース６を前記サッシ枠３の上部横枠３ｂの上方に配置する。【選択図】図１
2005282226.tif 000002
【特許請求の範囲】
【請求項１】
サッシ枠の左右一対の縦枠の各々に固定ブラケットを介して支柱を略垂直に固定し、左右一対の支柱の上端部間に巻取ケースを横架し、該巻取ケースに巻装されたシート材を引き出してこれをオーニングとして使用することを特徴とする簡易型オーニング装置。
【請求項２】
前記各支柱を前記サッシ枠の各縦枠の外側方に配置するとともに、前記巻取ケースを前記サッシ枠の上部横枠の上方に配置したことを特徴とする請求項１記載の簡易型オーニング装置。
【請求項３】
左右一対の前記支柱の下端部同士をこれらに横架された下枠によって連結したことを特徴とする請求項１又は２記載の簡易型オーニング装置。
【請求項４】
左右一対の前記支柱を、その上端が前記サッシ枠の上部横枠よりも上方且つ天井よりも下方に位置するよう固定したことを特徴とする請求項１〜３の何れかに記載の簡易型オーニング装置。
【請求項５】
前記各支柱の高さ方向中間部にアームの基端部を上下回動可能に枢着するとともに、左右一対のアームの先端部間に前枠を横架し、該前枠に前記シート材の自由端を取り付けたことを特徴とする請求項１〜４の何れかに記載の簡易型オーニング装置。
【発明の詳細な説明】
【技術分野】
【０００１】
本発明は、例えばマンションのベランダ等に設置される簡易型オーニング装置に関する。
【背景技術】
【０００２】
マンションや団地等の集合住宅のベランダやバルコニーには、日除けや雨除け或は屋外からの視界の遮蔽等のためにオーニング装置が設置されることがある。
【０００３】
ところで、マンションや団地等の集合住宅にあっては、サッシ枠等の既設品に対する穴あけ等の加工が禁止されている場合があるため、ベランダ等にオーニング装置を設置する場合には、その取付方法に制約を伴う。
【０００４】
而して、オーニング装置の取付方法には大きく分けて「プロップバー式」と「サッシ枠式」の２種類が従来から知られている。
【０００５】
「プロップバー式」は、例えば図８に示すように、建家の軒天井１０９と床面１１０との間に２本の側柱（プロップバー）１０５を着脱可能に架設し、これらの側柱１０５にオーニング材としてのルーフシート１０７やこれを巻き取るためのドラム本体１２０等を取り付けるようにしたものである（特許文献１参照）。
【０００６】
他方、「サッシ枠式」は、ベランダ等に対面するガラス戸のサッシ枠に固定ブラケットを用いてオーニング材等を取り付ける方式であって、例えば図９に示すように、シート体２０７の一端をシート固定金具（固定ブラケット）２０４によってサッシ枠２０３の屋外外側上端に着脱自在に固定し、他端を固定部材２１０によってベランダ等の手摺２１２に固定することによって、該シート体２０７をサッシ枠２０３と手摺２１２の間に張設するような構成が採られる（特許文献２，３参照）。
【０００７】
【特許文献１】特開２００２−２１３０５６号公報
【特許文献２】特開２００３−３２８４３１号公報
【特許文献３】特開平１０−２０５２５５号公報
【発明の開示】
【発明が解決しようとする課題】
【０００８】
しかしながら、取付方法として図８に示す「フロップバー式」を採用するオーニング装置においては、各側柱１０５を建家の軒天井１０９と床面１１０との間に架設するため、軒天井１０９と床面１１０に高い強度を要するとともに、側柱１０５が緩んで倒れないように時々増し締めを行う必要があるという問題がある。
【０００９】
又、「サッシ枠式」を採用する図９に示すオーニング装置においては、サッシ枠２０３にオーニング装置の重量の大部分が負荷されるため、例えばシート体２０７を巻き取るための巻取ケース等の高重量物を取り付けることができないという問題があった。
【００１０】
本発明は上記問題に鑑みてなされたもので、その目的とする処は、軒天井や正面に高い強度を必要とすることなくベランダ等に簡単に設置することができるとともに、シート材を巻き取るための巻取ケース等の高重量物も取り付けることができる簡易型オーニング装置を提供することにある。
【課題を解決するための手段】
【００１１】
上記目的を達成するため、請求項１記載のオーニング装置は、サッシ枠の左右一対の縦枠の各々に固定ブラケットを介して支柱を略垂直に固定し、左右一対の支柱の上端部間に巻取ケースを横架し、該巻取ケースに巻装されたシート材を引き出してこれをオーニングとして使用することを特徴とする。
【００１２】
請求項２記載の発明は、請求項１記載の発明において、前記各支柱を前記サッシ枠の各縦枠の外側方に配置するとともに、前記巻取ケースを前記サッシ枠の上部横枠の上方に配置したことを特徴とする。
【００１３】
請求項３記載の発明は、請求項１又は２記載の発明において、左右一対の前記支柱の下端部同士をこれらに横架された下枠によって連結したことを特徴とする。
【００１４】
請求項４記載の発明は、請求項１〜３の何れかに記載の発明において、左右一対の前記支柱を、その上端が前記サッシ枠の上部横枠よりも上方且つ天井よりも下方に位置するよう固定したことを特徴とする。
【００１５】
請求項５記載の発明は、請求項１〜４の何れかに記載の発明において、前記各支柱の高さ方向中間部にアームの基端部を上下回動可能に枢着するとともに、左右一対のアームの先端部間に前枠を横架し、該前枠に前記シート材の自由端を取り付けたことを特徴とする。
【発明の効果】
【００１６】
請求項１記載の発明によれば、左右一対の支柱をサッシ枠の左右一対の縦枠に固定ブラケットを介して固定する構成を採用し、該支柱を軒天井と床面との間で挟持する構成を採用していないため、軒天井や正面に高い強度を必要とせず、サッシ枠等に加工を施すことなく、オーニング装置をベランダ等に簡単に設置して日除けや雨除け或は屋外からの視界の遮蔽等の用途に供することができる。又、比較的高重量の巻取ケースをサッシ枠に直接ではなく、左右一対の支柱に取り付けることができる。
【００１７】
請求項２記載の発明によれば、各支柱をサッシ枠の各縦枠の外側方に配置するとともに、巻取ケースをサッシ枠の上部横枠の上方に配置したため、これらの支柱や巻取ケースが室内から見えず、これらによって景観が損なわれることがない。
【００１８】
請求項３記載の発明によれば、左右の支柱がこれらの下端部間に連結された下枠によって補強されるため、該支柱の強度及び剛性が高められるとともに、固定ブラケットのサッシ枠からの外れが防がれる。又、左右の支柱の外側への開きや内側への閉じが下枠によって防がれ、両支柱の床面に対する垂直度が高く保たれる。
【００１９】
請求項４記載の発明によれば、サッシ枠に固定された左右一対の支柱の上端が天井まで届かないため、天井を傷付けることなく支柱を容易に取り付け或は取り外すことができ、当該オーニング装置を１人でも簡単に設置或は撤去することができる。
【００２０】
請求項５記載の発明によれば、各支柱の高さ方向中間部に枢着された左右一対のアームをその基端部を中心として上下に回動させることによって、該アームの先端部間に横架された前枠に取り付けられたシート材を巻取ケースから引き出し或は巻取ケースに巻き取り、該シート材を必要に応じて窓の全開位置から全閉位置までの任意の位置にセットすることができる。
【発明を実施するための最良の形態】
【００２１】
以下に本発明の実施の形態を添付図面に基づいて説明する。
【００２２】
図１は本発明に係る簡易型オーニング装置の正面図、図２は図１のＡ−Ａ線断面図、図３は同簡易型オーニング装置の平面図、図４は図３のＢ部拡大詳細図、図５は図１のＣ−Ｃ線断面図、図６は支柱のサッシ枠への固定構造を示す分解斜視図、図７は図２のＤ部拡大詳細図である。
【００２３】
本発明に係る簡易型オーニング装置１は、例えばマンションのベランダに簡易的に設置されて日除けや雨除け或は屋外からの視界の遮蔽等の用途に供せられるものであって、ベランダに対面する部位にはサッシ枠式ガラス戸２が設けられており、該ガラス戸２の周囲には矩形枠状のサッシ枠３が嵌め込まれている。
【００２４】
而して、本発明に係る簡易型オーニング装置１は、サッシ枠３の左右一対の縦枠３ａの各々に固定ブラケット４を介して支柱５を略垂直に固定し、左右一対の支柱５の上端部間に巻取ケース６を横架し、該巻取ケース６に巻装された可撓性のシート材７を引き出してこれをオーニングとして使用することを特徴とする。
【００２５】
ここで、各支柱５は例えばアルニウム等の軽金属製の角パイプで構成され、その上下２点が前記固定ブラケットによってサッシ枠３の縦枠３ａに固定されている。即ち、図５及び図６に示すように、板金製の固定ブラケット４は、支柱５を通してこれを保持するための矩形筒状の保持部４ａと、該保持部４ａから一体に延びる平面部４ｂと、該平面部４ｂの端部から直角に折り曲げられた係合部４ｃを有している。尚、保持部４ａは一部が開口しており、その端部の矩形ブラケット部４ｄと前記平面部４ｂの各上下には円孔４ｅがそれぞれが形成されており、矩形ブラケット部４ｄの各円孔４ｅの周囲にはナット部材８が溶着されている。
【００２６】
而して、各固定ブラケット４の係合部４ｃをハンマー９等で叩いてこれをサッシ枠３に係合させれば、図５に示すように、固定ブラケット４がサッシ枠３の縦枠３ａに固定される。そして、この固定ブラケット４の保持部４ａに支柱５を通し、平面部４ｂと矩形ブラケット部４ｄに形成された前記円孔４ｅにねじ１０を通してこれをナット部材８にねじ込んで矩形ブラケット部４ｄを平面部４ｂに固定することによって、支柱５が固定ブラケット４に支持され、該支柱５は固定ブラケット４を介してサッシ枠３の縦枠３ａに固定される。ここで、図１に示すように、各支柱５は、サッシ枠３の縦枠３ａの外側方に配置されており、その上端がサッシ枠３の上部横枠３ｂよりも上方且つ軒天井よりも下方に位置するよう固定される。
【００２７】
尚、支柱５を固定する順序としては、先ず、支柱５を固定ブラケット４の保持部に通してこれを固定ブラケット４に固定した後、固定ブラケット４をサッシ枠３の縦枠３ａに固定するようにしても良い。
【００２８】
以上の要領で左右の支柱５を固定ブラケット４を介してサッシ枠３の縦枠３ａに略垂直に固定することができるが、各支柱５のサッシ枠３への固定は固定ブラケット４をサッシ枠３に係合せしめることによってサッシ枠３を傷付けることなく容易になされる。このように、本発明に係る簡易型オーニング装置１においては、支柱５を固定ブラケット４を介してサッシ枠３に固定する構成を採用し、支柱５を不図示の軒天井と床面１１との間で挟持する構成を採用しないため、軒天井や床面１１に高い強度を必要とせず、各支柱５が軒天井や床面１１に届かなくても構わない。尚、図２において、１２は手摺である。
【００２９】
次に、左右一対の支柱５の下端部同士がこれらに横架された下枠１３によって連結されるが、この下枠１３の固定構造の詳細は図７に示されている。即ち、チャンネル状の固定金具１４を支柱５に背面側から嵌め込み、その両端部をボルト１５で前枠１３の背面に固定することによって、前枠１３の左右２箇所が左右の支柱５に固定され、左右の支柱５の下端部間が下枠１３によって連結される。
【００３０】
而して、サッシ枠３の縦枠３ａの外側方の位置に左右一対の支柱５が略垂直に固定配置され、且つ、左右の支柱５の下端部間が前枠１３によって連結されると、左右一対の支柱５の上端部間に前記巻取ケース６が横架されるが、図１に示すように、この巻取ケース６はサッシ枠３の上部横枠３ｂの上方に配置される。
【００３１】
ここで、巻取ケース６は、図３に示すように、その背面側の左右２箇所が固定金具１６によって左右の支柱５に固定される。即ち、図４に詳細に示すように、固定金具１６を支柱５に嵌め込み、その左右をボルト１７で固定することによって、巻取ケース６が左右一対の支柱５の上端部間に横架される。尚、左右の支柱５の間隔はガラス戸２のサイズによって変化するため、固定金具１６の取付位置は巻取ケース６の幅方向に調整可能であるが、この固定金具１６を取付位置調整可能に取り付ける方法は本実施の形態のものに限定されない。
【００３２】
ところで、図２に示すように、巻取ケース６内には巻取軸１８が回転可能に支持されており、この巻取軸１８にはオーニング材としての前記シート材７が巻装されている。
【００３３】
他方、図２に示すように、前記各支柱５の高さ方向中間部にはアーム１９の基端部が軸２０によって上下回動可能に枢着されており、左右一対のアーム１９の先端部間には前枠２１が横架されている。そして、前枠２１には前記巻取ケース６に巻装された前記シート材７の自由端が取り付けられている。
【００３４】
以上のようにして本発明に係る簡易型オーニング装置１はマンションのベランダ等に簡単に設置されるが、各支柱５の高さ方向中間部に枢着された左右一対のアーム１９をその基端部を中心として上下に回動させることによって、図２に示すように、該アーム１９の先端部間に横架された前枠２１に取り付けられたシート材７を巻取ケース６から引き出し或は巻取ケース６に巻き取り、該シート材７を必要に応じてガラス戸２の全開位置から全閉位置までの任意の位置にセットすることができる。尚、図２において、アーム１９が鎖線ａにて示す位置にあるとき、シート材７は全開状態にあり、アーム１９が実線ｂにて示す位置（水平位置）にあるとき、シート材７は半開状態にあり、アーム１９が鎖線ｃにて示す位置にあるとき、シート材７は全閉状態にある。特に、ベランダの床面１１からの日光の照り返しを防ぐため、或は低い位置からの視線を遮るために、アーム１９を図２の鎖線ｃにて示す位置にセットしてガラス戸２の全面をシート材７によって覆うことができる。
【００３５】
以上において、本発明に係る簡易型オーニング装置１においては、左右一対の支柱５をサッシ枠３の左右一対の縦枠３ａに固定ブラケット４を介して固定する構成を採用し、該支柱５を軒天井と床面１１との間で挟持する構成を採用していないため、軒天井や床面１１に高い強度を必要とせず、サッシ枠３等に加工を施すことなく、オーニング装置１をベランダ等に簡単に設置して日除けや雨除け或は屋外からの視界の遮蔽等の用途に供することができる。例えば、直射日光を避けながら植物を育成することができ、ベランダにおいて盆栽やガーデニング等を行うことも可能である。又、直射日光の室内への入射を防いで家具の変色等を防ぐこともできる。更に、雨の降り込み防いで雨天時にもベランダに洗濯物を干すことが可能となる。
【００３６】
特に、本実施の形態では、サッシ枠３に固定された左右一対の支柱５の上端が軒天井まで届かないため、軒天井を傷付けることなく支柱５を容易に取り付け或は取り外すことができ、当該オーニング装置１を１人でも簡単に設置或は撤去することができる。
【００３７】
又、左右一対の支柱５をサッシ枠３の左右一対の縦枠３ａに固定ブラケット４を介して固定する構成を採用したため、比較的高重量の巻取ケース６であっても、これをサッシ枠３に直接ではなく、左右一対の支柱５に取り付けることができる。
【００３８】
更に、図１に示すように、各支柱５をサッシ枠３の各縦枠３ａの外側方に配置するとともに、巻取ケース６をサッシ枠３の上部横枠３ｂの上方に配置したため、これらの支柱５や巻取ケース６が室内から見えず、これらによって景観が損なわれることがない。
【００３９】
又、左右の支柱５がこれらの下端部間に連結された下枠１３によって補強されるため、該支柱５の強度及び剛性が高められるとともに、固定ブラケット４のサッシ枠３からの外れが防がれる。更に、左右の支柱５の外側への開きや内側への閉じが下枠１３によって防がれるため、両支柱５の床面１１に対する垂直度が高く保たれる。
【００４０】
その他、各支柱５を角パイプで構成したため、該支柱５に対する巻取ケース６の取付角度を出し易いというメリットも得られる。
【００４１】
尚、シート材７を張設する形態としては、以上説明したものに限定されず、例えば図８或は図９に示すような形態も採用することもできる。
【産業上の利用可能性】
【００４２】
本発明は、マンションや団地等の集合住宅の他、ホテルや一般の民家、公共施設を含む全ての建物のベランダやバルコニー等に簡易に設置することができるオーニング装置として有用である。
【図面の簡単な説明】
【００４３】
【図１】本発明に係る簡易型オーニング装置の正面図である。
【図２】図１のＡ−Ａ線断面図である。
【図３】本発明に係る簡易型オーニング装置の平面図である。
【図４】図３のＢ部拡大詳細図である。
【図５】図１のＣ−Ｃ線断面図である。
【図６】支柱のサッシ枠への固定構造を示す分解斜視図である。
【図７】図２のＤ部拡大詳細図である。
【図８】従来のオーニング装置（プロップバー式）の斜視図である。
【図９】従来のオーニング装置（サッシ枠式）の斜視図である。
【符号の説明】
【００４４】
１      簡易型オーニング装置
２      サッシ枠式ガラス戸
３      サッシ枠
３ａ    縦枠
３ｂ    上部横枠
４      固定ブラケット
５      支柱
６      巻取ケース
７      シート材
１３    下枠
１４    固定金具
１６    固定金具
１８    巻取軸
１９    アーム
２０    軸
２１    前枠
【図１】
2005282226.tif 000003
【図２】
2005282226.tif 000004
【図３】
2005282226.tif 000005
【図４】
2005282226.tif 000006
【図５】
2005282226.tif 000007
【図６】
2005282226.tif 000008
【図７】
2005282226.tif 000009
【図８】
2005282226.tif 000010
【図９】
2005282226.tif 000011